(57)【要約】 【課題】圧力媒体としての流体（例えば水道水、温水器のお湯）を伸縮袋に充填する際、充填量が少なくて済む、充填時間を短縮することができること。【解決手段】圧力媒体を、配管を介して充填することができる伸縮袋と、該伸縮袋に支持されていると共に、浴槽内に配設された複数本の垂直案内支柱を介して、かつ、前記伸縮袋の伸縮動に対応して浴槽内を昇降動する昇降座板とを備えた介護用入浴装置に於いて、伸縮袋６は、複数個の環状浮き袋本体６ａを上下方向に重ね合わせ、かつ、複数個の連通路６ｂを介して圧力媒体２が均等に作用するように繋ぎ合わせられて「一つの伸縮袋」を形成していることを特徴とする介護用入浴装置。【選択図】  図１
2007209581.tif 000002
【特許請求の範囲】
【請求項１】
圧力媒体を、配管を介して充填することができる伸縮袋と、該伸縮袋に支持されていると共に、浴槽内に配設された複数本の垂直案内支柱を介して、かつ、前記伸縮袋の伸縮動に対応して浴槽内を昇降動する昇降座板とを備えた介護用入浴装置に於いて、前記伸縮袋は、複数個の環状浮き袋本体を上下方向に重ね合わせ、かつ、複数個の連通路を介して圧力媒体が均等に作用するように繋ぎ合わせられて「一つの伸縮袋」を形成していることを特徴とする介護用入浴装置。
【請求項２】
請求項１に於いて、浴槽に装着自在に取付けられる垂直案内支柱は、昇降座板１７を支持するスライド部材１３を備え、該スライド部材１３と昇降座板１７は、連結手段２０を介して連結自在であることを特徴とする介護用入浴装置。
【請求項３】
請求項２に於いて、垂直案内支柱１１の上端部寄りの部位には、スライド部材１３を所定位置に止めるストッパー手段２１が取付けられていることを特徴とする介護用入浴装置。
【請求項４】
圧力媒体を、配管を介して充填することができる伸縮袋と、該伸縮袋に支持されていると共に、浴槽内に配設された複数本の垂直案内支柱を介して、かつ、前記伸縮袋の伸縮動に対応して浴槽内を昇降動する昇降座板とを備えた介護用入浴装置に於いて、前記伸縮袋は、複数個の環状浮き袋本体を上下方向に重ね合わせ、かつ、複数個の連通路を介して圧力媒体が均等に作用するように繋ぎ合わせられて「一つの伸縮袋」を形成しており、また、前記圧力媒体は、切換え弁及び供給・排出用配管４を介して、前記伸縮袋に充填される水道水であることを特徴とする介護用入浴装置。
【請求項５】
請求項４に於いて、伸縮袋に充填された圧力媒体２は、切換え弁３及び供給・排出用配管４を介して浴槽の外へ放出されることを特徴とする介護用入浴装置。
【請求項６】
請求項４に於いて、介護用入浴装置は、浴槽内にスペース７を設けて内装されることを特徴とする介護用入浴装置。
【発明の詳細な説明】
【技術分野】
【０００１】
本発明は、介護用入浴装置に関し、特に要介護者用に適合する。
【背景技術】
【０００２】
特許文献1には、被介護人だけでなく、広い範囲の人（介護の必要がない人）が家庭などで水や熱エネルギーを無駄にすることなく、安全且つ容易に入浴するための入浴装置の一例が提案されている。
【０００３】
すなわち、特許文献1には、「浴槽内で入浴のために人が座る昇降座板と、該昇降座板を浴槽内の温水の注入により上昇させる水袋と、該水袋の作動時に前記昇降座板が傾かないように案内する複数本の垂直支柱を含む昇降ガイドと、前記垂直支柱の下端部を固定し、かつ、浴槽の底に置いた設置ベースとから成り、さらに、前記昇降座板には乗った人が姿勢を安定させるための手摺りを設ける介護用入浴装置」が記載されている。
【０００４】
しかして、この介護用入浴装置は、被介護人の入浴時、浴槽内の温水を水袋に入れて座板を上昇させて使用するものであるが、（ａ）該水袋は大きなタンク状に形成されているため、圧力媒体としての流体を水袋内に充填する際、多量の温水を必要とするのみならず、充填時間がかかり過ぎるという問題点がある。（ｂ）また、昇降ガイドの垂直支柱の下端部が浴槽の底に設置された設置ベースに固定されていることから、座板が安定的に昇降動する利点があるものの、介護の必要性がない人が浴槽を利用する際には設置ベース並びに昇降ガイドを、浴槽から簡単に退かし、或いは昇降ガイドのみを設置ベースから簡単に取り外すことができないという問題点もあった。（ｃ）さらに、該入浴装置は、ポンプ、電気モーター等の駆動手段が必要であるため、コスト高になるという問題点があった。
【０００５】
また、特許文献２には、普通一般に使用されている浴槽室の内壁に突設された水道の蛇口から出る水或いはお湯（給湯設備の温水）を圧力媒体として、浴槽内を上下方向に摺動する長板状のプレートを備えた介護用浴槽に関する事項が記載されている。
【０００６】
しかし、この介護用浴槽は、ポンプ、電気モーター等の電気エネルギーを利用しない点で、特許文献1の問題点の一つを解消することができるというものの、前記長板状プレートは、浴槽内のスペースを殆ど利用する昇降支持体であると共に、もっぱら、肢体が不自由な方や寝たきの人に適用するものであり、介護度２、介護度３等の要介護者（肢体が自由な方、寝たきの人でない方）には適さないものである。
【特許文献１】特開２００５−３４２４４８号公報
【特許文献２】特開２００２−１１０６７号公報
【発明の開示】
【発明が解決しようとする課題】
【０００７】
本発明の主たる目的は、圧力媒体としての流体（例えば水道水、温水器のお湯）を伸縮袋に充填する際、充填量が少なくて済む、充填時間を短縮することができる等の利点を得ることができる介護用入浴装置を提案すること。第２の目的は、介護用入浴装置を浴槽に簡単に脱着することができること。第３の目的は、安価に設置することができることである。その他、各部材を合理的に組み合わせることである。
【課題を解決するための手段】
【０００８】
本発明の介護用入浴装置は、圧力媒体を、配管を介して充填することができる伸縮袋と、該伸縮袋に支持されていると共に、浴槽内に配設された複数本の垂直案内支柱を介して、かつ、前記伸縮袋の伸縮動に対応して浴槽内を昇降動する昇降座板とを備えた介護用入浴装置に於いて、前記伸縮袋６は、複数個の環状浮き袋本体６ａを上下方向に重ね合わせ、かつ、複数個の連通路６ｂを介して圧力媒体２が均等に作用するように繋ぎ合わせられて「一つの伸縮袋」を形成していることを特徴とする。
【発明の効果】
【０００９】
（１）各独立項に記載の発明は、圧力媒体としての流体を伸縮袋に充填する際、充填量が少なくて済むと共に、充填時間を短縮することができる。
（２）請求項２に記載の発明は、介護用入浴装置を浴槽に簡単に脱着することができる。また、請求項３に記載の発明は、昇降座板を所定位置に安定的に止めることができるから、介護する者は、使い勝手が良い。
（３）特に、請求項４に記載の発明は、圧力媒体は、切換え弁及び供給・排出用配管を介して、前記伸縮袋に充填される水道水であることから、安価に設置することができる。
（４）請求項５に記載の発明は、伸縮袋内の雑菌等が浴槽に混入しないので、衛生的である。
（５）請求項６に記載の発明は、入浴の際、入浴装置を椅子のように利用することができるので、例えばスペース内で要介護者の両足を付けさせ、入浴装置の揺れ防止を補足させることができる。それ故に、この実施例の場合には、要介護者に適合している。
【発明を実施するための最良の形態】
【００１０】
以下、図１乃至図９に示す本発明を実施するための最良の形態により説明する。図１乃至図３は発明の全体の構成要件を示す概念図である。また、図４乃至図７は発明の要部の示す各概略説明図である。その他の図面は参考的な説明図である。
【００１１】
（１）構成
各図に於いて、まず、1は普通一般に家庭内で使用されている浴槽で、該浴槽１は、望ましくは概念図で示すように横長状に形成されている。２は圧力媒体としての水或いはお湯（給湯設備の温水）で、該圧力媒体２は、特許文献２に記載されているように浴槽室の内壁に突設された水道の蛇口から出る。つまり、圧力媒体２は「水道水」であり、本実施例では特許文献１のように浴槽１内のお湯ではない。
【００１２】
３は蛇口に直接又は間接的に取付けられた切換え弁で、該切換え弁３の一例として、手動式の三方切換え弁が用いられている。
【００１３】
したがって、図４で示すように、切換え弁３の一つの流路開口部には、伸縮袋の吸引部側に連結された供給・排出用配管４が取付けられており、また、切換え弁３の他の流路開口部には前記供給・排出用配管４を介して排出され得る圧力媒体２を浴槽１の外に排出するための排出用配管５が取付けられている。
【００１４】
ところで、前記排出用配管５は、実施例によっては、本発明の本質的事項ではなく、後述する伸縮袋に充填した圧力媒体２を浴槽（お風呂）１の中に直に放出しても良い。
【００１５】
次に、６は浴槽１に収納自在に内装される環状伸縮袋で、この環状伸縮袋６は、浴槽１に少なくとも肢体が自由な方、寝たきりの人でない方等の要介護者が両足で余裕をもって立つことができるスペース７（槽内の１／２、１／３等のスペース）を残して内設される。
【００１６】
しかして、図５及び図６で示すように、本実施例の環状伸縮袋６は、複数個の環状浮き袋本体６ａ、６ａ…を上下方向に重ね合わせ、かつ、外部又は内部の複数個の連通路６ｂ、６ｂ…を介して圧力媒体２が均等に作用するように繋ぎ合わせられて「一つの伸縮袋６」を形成している。したがって、可撓性伸縮袋６内周には、浴槽１内の湯が自由に入り込む空洞部分８が存在する。
【００１７】
なお、環状伸縮袋６の材質（ゴム、合成樹脂等）は適宜な採択される。また、環状伸縮袋６には、特に図示しないが、供給・排出用配管４の他端部を取付けるための注入・兼用排出口部が設けられている。
【００１８】
次に、１１は浴槽１の内壁面、実施例では、内壁底面１ａに吸着盤１２を介して着脱自在に設置される複数本の垂直案内支柱で、これらの垂直案内支柱１１は、少なくとも４本であり、環状伸縮袋６の外側（実施例）又は内側に所要の間隔を有して位置付けられる。
【００１９】
次に、１３は各垂直案内支柱１１にそれぞれ外嵌合するスライド部材で、スライド部材１３は、図７で示すように、短筒状の摺動嵌合片１４と、該摺動嵌合片１４の外面から半径外方向へ延びる支持アーム１５とから成る。スライド部材１３は、垂直（鉛直）方向及び水平方向へそれぞれ移動可能である（上下動可、回転可）。
【００２０】
しかして、実施例では、各スライド部材１３が昇降座板１７から外れないように、昇降座板１７の隅部１７ａに形成され段差状の挿通孔１８に自在に差し込まれる連結手段（例えば頭部を有する固定ピン）２０を介して昇降座板１７と連結自在に結合する。
【００２１】
したがって、矩形状の昇降座板１７の隅部１７ａには、スライド部材１３の支持アーム１５が入り込むことができる水平方向の切欠部分１９が適宜に形成されており、該切欠部分１９は挿通孔１８に直交方向に連通する。
【００２２】
次に、２１は各スライド部材１３を所定位置に止める棒状のストッパー手段であり、該ストッパー手段２１は、垂直案内支柱１１の上端部寄りの部位に所定間隔を有して形成された複数個の貫通状支持孔２２に係入自在である。
【００２３】
さらに、本実施例では、昇降座板１７の適宜個所には、介護する者用の支持把手２５や要介護者用の手摺り２６がそれぞれ設けられている。
【００２４】
（２）作用
図８は、切換え弁３及び供給用配管４を介して、圧力媒体２を環状伸縮袋６に充填した状態を示す概略説明図である。環状伸縮袋６に圧力媒体２を注入すると、本実施例では、圧力媒体２は一番下方の環状浮き袋本体６ａから順次上方の環状浮き袋本体６ａへと各連通路６ｂを介して流れ込む。圧力媒体２が各環状浮き袋本体６ａに流れ込むと、一番上方に位置する昇降座板１７は、垂直案内支柱１１に沿って摺動するスライド部材１３を介して上方へと位置変位する。この時、当然のことながら、環状伸縮袋６の空洞部分８には浴槽１内のお湯が入り込む。
【００２５】
圧力媒体２を環状伸縮袋６に充填すると、パスカルの原理により、圧力媒体２の圧力は、環状伸縮袋６の内壁面に均等に加わる。
【００２６】
そこで、昇降座板１７が所望する上位の状態に於いて、要介護者を浴槽１内に入れる訳であるが、その際、図８で示すように、介護者３０は支持把手２５を介して昇降座板１７等が揺れないように支持する。一方、要介護者３１は手摺りにつかまりながら、その足を内壁底面１ａに位置付けるようにする。しかる後に、介護者３０は要介護者３１の体を洗ってやる。
【００２７】
水圧の解放時には、ストッパー手段２１を各垂直案内支柱１１から取り外した後、切換え弁３及び排出用配管５を介して環状伸縮袋６内の圧力媒体２を浴槽１の外へ排出する。そうすると、排出量に対応して環状伸縮袋６は収縮することから、昇降座板１７は、スライド部材１３を介して下方へと位置変位する。図９は環状伸縮袋６が縮んだ状態の一例を示す概略説明図である。
【実施例】
【００２８】
発明の実施の形態で示した実施例に於いて、垂直案内支柱１１は、下端部に設けた吸着盤１２を介して浴槽１の内壁底面１ａに着脱自在に設置され得るが、これは一例であって、例えば図１０に示すように、垂直案内支柱１１Ａ、１１Ｂの上下端部、又は上端部に鉤状の掛け止め部分１１ａ（１１ａ）を形成し、該掛け止め部分１１ａ（１１ａ）の外面に浴槽１の内壁側面１ｂに吸着可能な吸着盤１２を取付け、該横向き吸着盤１２や押しボルト２９を介して垂直案内支柱１１Ａ、１１Ｂを浴槽１に配設しても良い。
【００２９】
付言すると、図１０の右側に示す垂直案内支柱１１Ｂは、第１実施例の垂直案内支柱１１と前記垂直案内支柱１１Ａの構成をそれぞれ利用したものであるが、普通一般に使用されている家庭内の浴槽の取付け状態を考慮して、垂直案内支柱の配設構成は適宜に採択し得る。
【００３０】
なお、供給・排出用配管４や排出用配管５の内径は、吸入・排出の効率性を考慮して適宜に設計され得る。また、昇降座板１７の隅部７ａに切欠部分１９を形成することは、発明の限定要件ではない。その理由は、支持アーム１５は昇降座板１７の下面を適宜に支持し得るからである。
【産業上の利用可能性】
【００３１】
本発明は、主に要介護の業界で利用される。
【図面の簡単な説明】
【００３２】
図１乃至図９は本発明の最良の実施例を示す各説明図。
【図１】発明の全体の構成要件を示す一側面側からの概念図。
【図２】発明の全体の構成要件を示す平面側からの概念図。
【図３】主要部を他側面側から示す概略説明図。
【図４】要部（切換え弁、供給・排出用配管等）の一側面側からの概略説明図。
【図５】要部（環状伸縮袋）の伸長状態の概略説明図。
【図６】要部（環状伸縮袋）の収縮状態の一例を示す概略説明図。
【図７】図７（ａ）、図７（ｂ）は、要部（スライド部材、連結手段等）の各概略説明図で、（ａ）は平面側の説明図、（ｂ）側面側からの説明図。
【図８】使用時の概略説明図（椅子の状態の一例）。
【図９】使用後の圧力媒体排出時の一例を示す概略説明図。
【図１０】垂直案内支柱の配設方法の変形例。
【符号の説明】
【００３３】
1…浴槽、１ａ…内壁底面、２…圧力媒体、３…切換え弁、４…供給・排出用配管、５…排出用配管、６…環状伸縮袋、６ａ…環状浮き袋本体、６ｂ…連通路、７…スペース、８…空洞部分、１１，１１Ａ，１１Ｂ…垂直案内支柱、１２…吸着盤、１３…スライド部材、１４…摺動嵌合片、１５…支持アーム、１７…昇降座板、１７ａ…隅部、１８…挿通孔、１９…切欠部分、２０…連結手段、２１…ストッパー手段、２２…支持孔、２５…支持把手、２６…手摺り、２９…押しボルト、３０…介護者、３１…要介護者。
【図１】
2007209581.tif 000003
【図２】
2007209581.tif 000004
【図３】
2007209581.tif 000005
【図４】
2007209581.tif 000006
【図５】
2007209581.tif 000007
【図６】
2007209581.tif 000008
【図７】
2007209581.tif 000009
【図８】
2007209581.tif 000010
【図９】
2007209581.tif 000011
【図１０】
2007209581.tif 000012